(57)【要約】【課題】表示装置の設定のための操作画像を端末装置に表示するシステムの構成を簡単化すること。【解決手段】表示装置の制御方法は、前記表示装置の設定のための第１操作画像を表示する端末装置から、前記第１操作画像に対する操作に関する履歴情報を受信することと、前記履歴情報を用いて、前記表示装置の設定のための第２操作画像の表示に用いる表示情報を生成することと、前記表示情報を前記端末装置に送信することと、を含む。【選択図】図６
2020091627.tif 000002
【特許請求の範囲】
【請求項１】
表示装置の制御方法であって、
前記表示装置の設定のための第１操作画像を表示する端末装置から、前記第１操作画像に対する操作に関する履歴情報を受信することと、
前記履歴情報を用いて、前記表示装置の設定のための第２操作画像の表示に用いる表示情報を生成することと、
前記表示情報を前記端末装置に送信することと、を含む、
表示装置の制御方法。
【請求項２】
前記端末装置と前記表示装置とが接続されるネットワークに他の表示装置が接続される場合、前記表示情報の内容はエッジブレンディング補正設定を含み、
前記端末装置と前記表示装置とが接続されるネットワークに他の表示装置が接続されない場合、前記表示情報の内容はエッジブレンディング補正設定を含まない、
請求項１に記載の表示装置の制御方法。
【請求項３】
前記端末装置と前記表示装置とが接続されるネットワークに他の表示装置が接続される場合と接続されない場合とで、前記表示情報の内容を異ならせる、
請求項１または２に記載の表示装置の制御方法。
【請求項４】
前記第１操作画像は、互いに異なる複数の設定項目を含み、
前記第２操作画像は、前記履歴情報に基づいて前記複数の設定項目から選択される１以上の設定項目を含む、
請求項１から３のいずれか１項に記載の表示装置の制御方法。
【請求項５】
前記１以上の設定項目は、前記履歴情報が示す設定項目と同じかまたは関連する設定項目を含む、
請求項４に記載の表示装置の制御方法。
【請求項６】
表示装置であって、
前記表示装置の設定のための第１操作画像を表示する端末装置から、前記第１操作画像に対する操作に関する履歴情報を受信する受信部と、
前記履歴情報を用いて、前記表示装置の設定のための第２操作画像の表示に用いる表示情報を生成する生成部と、
前記表示情報を前記端末装置に送信する送信部と、を有する、
表示装置。
【請求項７】
前記生成部は、前記端末装置と前記表示装置とが接続されるネットワークに他の表示装置が接続される場合と接続されない場合とで、前記表示情報の内容を異ならせる、
請求項６に記載の表示装置。
【請求項８】
前記第１操作画像は、互いに異なる複数の設定項目を含み、
前記第２操作画像は、前記履歴情報に基づいて前記複数の設定項目から選択される１以上の設定項目を含む、
請求項６または７に記載の表示装置。
【請求項９】
前記１以上の設定項目は、前記履歴情報が示す設定項目と同じかまたは関連する設定項目を含む、
請求項８に記載の表示装置。
【請求項１０】
表示装置の設定のための第１操作画像を表示する端末装置から前記表示装置に、前記第１操作画像に対する操作に関する履歴情報を受信することと、
前記表示装置が、前記履歴情報を用いて、前記表示装置の設定のための第２操作画像の表示に用いる表示情報を生成することと、
前記表示情報を前記表示装置から前記端末装置に送信することと、を含む、
表示システムの制御方法。
【請求項１１】
前記端末装置と前記表示装置とが接続されるネットワークに他の表示装置が接続される場合、前記表示情報の内容はエッジブレンディング補正設定を含み、
前記端末装置と前記表示装置とが接続されるネットワークに他の表示装置が接続されない場合、前記表示情報の内容はエッジブレンディング補正設定を含まない、
請求項１０に記載の表示システムの制御方法。
【請求項１２】
前記端末装置と前記表示装置とが接続されるネットワークに他の表示装置が接続される場合と接続されない場合とで、前記表示情報の内容を異ならせる、
請求項１０または１１に記載の表示システムの制御方法。
【請求項１３】
前記第１操作画像は、互いに異なる複数の設定項目を含み、
前記第２操作画像は、前記履歴情報に基づいて前記複数の設定項目から選択される１以上の設定項目を含む、
請求項１０から１２のいずれか１項に記載の表示システムの制御方法。
【請求項１４】
前記１以上の設定項目は、前記履歴情報が示す設定項目と同じかまたは関連する設定項目を含む、
請求項１３に記載の表示システムの制御方法。
【請求項１５】
表示面に画像を表示する表示装置と、
前記表示装置に通信可能に接続され、前記表示装置の設定のための第１操作画像または第２操作画像を表示する端末装置と、を有し、
前記端末装置は、
前記第１操作画像に対する操作に関する履歴情報を記憶する記憶部を有し、
前記表示装置は、
前記端末装置から前記履歴情報を受信する受信部と、
前記履歴情報を用いて、前記第２操作画像の表示に用いる表示情報を生成する生成部と、
前記表示情報を前記端末装置に送信する送信部と、を有する、
表示システム。
【請求項１６】
前記端末装置と前記表示装置とが接続されるネットワークに他の表示装置が接続される場合、前記表示情報の内容はエッジブレンディング補正設定を含み、
前記端末装置と前記表示装置とが接続されるネットワークに他の表示装置が接続されない場合、前記表示情報の内容はエッジブレンディング補正設定を含まない、
請求項１５に記載の表示システム。
【請求項１７】
前記生成部は、前記端末装置と前記表示装置とが接続されるネットワークに他の表示装置が接続される場合と接続されない場合とで、前記表示情報の内容を異ならせる、
請求項１５または１６に記載の表示システム。
【請求項１８】
前記第１操作画像は、互いに異なる複数の設定項目を含み、
前記第２操作画像は、前記履歴情報に基づいて前記複数の設定項目から選択される１以上の設定項目を含む、
請求項１５から１７のいずれか１項に記載の表示システム。
【請求項１９】
前記１以上の設定項目は、前記履歴情報が示す設定項目と同じかまたは関連する設定項目を含む、
請求項１８に記載の表示システム。
【発明の詳細な説明】
【技術分野】
【０００１】
本発明は、表示装置の制御方法、表示装置、表示システムの制御方法および表示システムに関する。
【背景技術】
【０００２】
プロジェクター等の機器に通信可能に接続される端末装置を用いて当該機器の各種設定を行うことが可能なシステムが知られている。例えば、特許文献１に記載のシステムでは、パーソナルコンピューターのディスプレイにプリンターの印刷処理の設定項目を表示する。ここで、パーソナルコンピューターおよびプリンターのそれぞれには、情報管理サーバーが通信可能に接続される。情報管理サーバーは、プリンターの印刷処理の設定項目の使用頻度を管理する。パーソナルコンピューターは、当該使用頻度を含む情報を情報管理サーバーから取得し、当該情報に基づいて、表示する設定項目の配置を決定する。
【先行技術文献】
【特許文献】
【０００３】
【特許文献１】特開２０１２−８４０４５号公報
【発明の概要】
【発明が解決しようとする課題】
【０００４】
しかし、特許文献１に記載のシステムでは、プリンターおよびパーソナルコンピューターだけでなく情報管理サーバーが必要となるため、構成が複雑となるという課題がある。
【課題を解決するための手段】
【０００５】
本発明に係る表示装置の制御方法の一態様は、表示装置の制御方法であって、前記表示装置の設定のための第１操作画像を表示する端末装置から、前記第１操作画像に対する操作に関する履歴情報を受信することと、前記履歴情報を用いて、前記表示装置の設定のための第２操作画像の表示に用いる表示情報を生成することと、前記表示情報を前記端末装置に送信することと、を含む。
【０００６】
本発明に係る表示装置の一態様は、表示装置であって、前記表示装置の設定のための第１操作画像を表示する端末装置から、前記第１操作画像に対する操作に関する履歴情報を受信する受信部と、前記履歴情報を用いて、前記表示装置の設定のための第２操作画像の表示に用いる表示情報を生成する生成部と、前記表示情報を前記端末装置に送信する送信部と、を有する。
【０００７】
本発明に係る表示システムの制御方法の一態様は、表示装置の設定のための第１操作画像を表示する端末装置から前記表示装置に、前記第１操作画像に対する操作に関する履歴情報を受信することと、前記表示装置が、前記履歴情報を用いて、前記表示装置の設定のための第２操作画像の表示に用いる表示情報を生成することと、前記表示情報を前記表示装置から前記端末装置に送信することと、を含む。
【０００８】
本発明に係る表示システムの一態様は、表示面に画像を表示する表示装置と、前記表示装置に通信可能に接続され、前記表示装置の設定のための第１操作画像または第２操作画像を表示する端末装置と、を有し、前記端末装置は、前記第１操作画像に対する操作に関する履歴情報を記憶する記憶部を有し、前記表示装置は、前記端末装置から前記履歴情報を受信する受信部と、前記履歴情報を用いて、前記第２操作画像の表示に用いる表示情報を生成する生成部と、前記表示情報を前記端末装置に送信する送信部と、を有する。
【図面の簡単な説明】
【０００９】
【図１】第１実施形態に係る表示システムの外観を概略的に示す図である。
【図２】第１実施形態に係る表示システムの構成を示す図である。
【図３】第１実施形態において端末装置に表示される第１操作画像を例示する図である。
【図４】第１実施形態において端末装置に表示される第１操作画像を例示する図である。
【図５】第１実施形態において端末装置に表示される第２操作画像を例示する図である。
【図６】第１実施形態に係る表示システムの動作を示す図である。
【図７】第２実施形態に係る表示システムの外観を概略的に示す図である。
【図８】第２実施形態に係る表示システムの構成を示す図である。
【図９】第２実施形態における表示情報の生成を示すフローチャートである。
【発明を実施するための形態】
【００１０】
以下、添付図面を参照しながら本発明に係る好適な実施形態を説明する。なお、図面において各部の寸法および縮尺は実際と適宜異なり、理解を容易にするために模式的に示す部分もある。また、本発明の範囲は、以下の説明において特に本発明を限定する旨の記載がない限り、これらの形態に限られない。
【００１１】
１．第１実施形態
１−１．表示システムの概要
図１は、第１実施形態に係る表示システム１の外観を概略的に示す図である。表示システム１は、プロジェクションシステムである。図１に示すように、表示システム１は、表示装置１０と端末装置１００とを有する。
【００１２】
表示装置１０は、端末装置１００に通信可能に接続される。この接続は、無線であっても有線であってもよい。表示装置１０は、端末装置１００等からの画像情報に基づく画像ＧをスクリーンＳＣに表示可能なプロジェクターである。スクリーンＳＣの設置箇所としては、例えば、壁、床またはテーブル等が挙げられる。また、表示装置１０の設置箇所としては、例えば、天井、壁、床、テーブル、専用設置台等が挙げられる。
【００１３】
表示装置１０は、端末装置１００での操作により設定を変更可能である。当該設定としては、特に限定されないが、例えば、明るさ、コントラストおよび色の濃さ等の画質設定、入力解像度、アスペクト比および表示位置等の映像設定、ならびに、幾何学歪み補正、ズームおよび音量等のその他の設定等が挙げられる。
【００１４】
ここで、端末装置１００は、表示装置１０からの表示情報に基づく第１操作画像ＧＣ１または第２操作画像ＧＣ２を表示する。第１操作画像ＧＣ１および第２操作画像ＧＣ２は、それぞれ、表示装置１０の設定のための操作を受付可能な画像である。後に詳述するが、第２操作画像ＧＣ２は、第１操作画像ＧＣ１に対する操作の履歴に基づくメニュー表示を含む。このため、表示装置１０の設定のための操作負担が軽減される。
【００１５】
図１に示す例では、端末装置１００は、第１操作画像ＧＣ１または第２操作画像ＧＣ２を表示可能な表示部１０２を有するノート型のパーソナルコンピューターである。なお、端末装置１００は、第１操作画像ＧＣ１または第２操作画像ＧＣ２を表示可能であればよく、図１に示す例に限定されず、例えば、デスクトップ型のパーソナルコンピューター、タブレット端末またはスマートフォン等であってもよい。また、端末装置１００は、端末装置１００とは別体の装置または表示装置１０に第１操作画像ＧＣ１または第２操作画像ＧＣ２を表示させてもよい。また、表示部１０２は、端末装置１００とは別体であってもよい。
【００１６】
１−２．表示システムの構成
図２は、第１実施形態に係る表示システム１の構成を示す図である。図２に示すように、表示装置１０は、通信部２０、画像処理部３０、投射部４０、記憶部５０、操作部６０および制御部７０を有する。これらは、互いに通信可能に接続される。
【００１７】
通信部２０は、端末装置１００と通信可能に接続されるインターフェイスである。例えば、通信部２０は、無線または有線のＬＡＮ（Local Area Network）インターフェイスである。なお、通信部２０は、端末装置１００と通信可能に接続できればよく、ＵＳＢ（Universal Serial Bus）、ＨＤＭＩ（High Definition Multimedia Interface）等のＬＡＮ以外のインターフェイスであってもよいし、インターネット等の他のネットワークを介して接続されてもよい。ＵＳＢおよびＨＤＭＩは、それぞれ、登録商標である。また、通信部２０は、表示装置１０の本体と同一筐体に配置されてもよいし、当該本体の筐体とは別の筐体内に配置されてもよい。また、通信部２０には、端末装置１００以外の装置が接続されてもよい。
【００１８】
通信部２０は、端末装置１００から各種情報を受信する機能と、端末装置１００へ各種情報を送信する機能と、を有する。したがって、通信部２０は、機能部として受信部２１および送信部２２を有する。ここで、受信部２１は、画像情報、操作情報Ｄ１または操作履歴情報Ｄ２を含む各種情報を端末装置１００から受信する。操作履歴情報Ｄ２は、履歴情報の一例である。送信部２２は、表示情報Ｄ３またはＤ４を含む各種情報を端末装置１００に送信する。なお、操作情報Ｄ１、操作履歴情報Ｄ２、表示情報Ｄ３およびＤ４については、後に詳述する。
【００１９】
画像処理部３０は、通信部２０からの画像情報に必要な処理を行って投射部４０に入力する回路である。画像処理部３０は、例えば、図示しないフレームメモリーを有し、画像情報を当該フレームメモリーに展開して、解像度変換処理、リサイズ処理、歪み補正処理等の各種処理を適宜実行して投射部４０に入力する。
【００２０】
投射部４０は、表示面であるスクリーンＳＣに画像光を投射して画像Ｇを表示する投影装置である。投射部４０は、光源４１、光変調装置４２、および投射光学系４３を有する。
【００２１】
光源４１は、例えば、ハロゲンランプ、キセノンランプ、超高圧水銀ランプ、ＬＥＤ（Light Emitting Diode）またはレーザー光源等を含んで構成される。光源４１は、例えば、赤色、緑色および青色の光をそれぞれ出射するか、または、白色の光を出射する。光源４１が白色の光を出射する場合、光源４１から出射される光は、図示しないインテグレーター光学系によって輝度分布のばらつきが低減され、その後、図示しない色分離光学系によって赤色、緑色および青色の光に分離されて光変調装置４２に入射する。光変調装置４２は、当該赤色、緑色および青色に対応して設けられる３つの光変調素子を含んで構成される。当該３つの光変調素子は、それぞれ、例えば、透過型の液晶パネル、反射型の液晶パネルまたはＤＭＤ（デジタルミラーデバイス）等を含んで構成される。当該３つの光変調素子は、当該赤色、緑色および青色の光をそれぞれ変調して各色の画像光を生成する。光変調装置４２で生成される各色の画像光は、図示しない色合成光学系によって合成され、フルカラーの画像光となる。投射光学系４３は、当該フルカラーの画像光をスクリーンＳＣ上に結像させて投射させる。投射光学系４３は、少なくとも１つの投射レンズを含む光学系であり、ズームレンズまたはフォーカスレンズ等を含んでもよい。
【００２２】
記憶部５０は、制御部７０が実行する制御プログラムＰ１、および制御部７０が処理するデータを記憶する記憶装置である。記憶部５０は、例えば、ハードディスクドライブまたは半導体メモリーを含んで構成される。なお、記憶部５０の一部または全部は、表示装置１０の外部の記憶装置あるいはサーバー等に設けてもよい。
【００２３】
操作部６０は、ユーザーからの操作を受け付ける装置である。例えば、操作部６０は、図示しない操作パネルおよびリモコン受光部を含んで構成される。当該操作パネルは、表示装置１０の外装筐体に設けられ、ユーザーからの操作に基づく信号を出力する。当該リモコン受光部は、図示しないリモコンからの赤外線信号を受光し、当該赤外線信号をデコードして、当該リモコンの操作に基づく信号を出力する。
【００２４】
制御部７０は、表示装置１０の各部を制御する機能、および各種データを処理する機能を有する処理装置である。制御部７０は、例えば、ＣＰＵ（Central Processing Unit）等のプロセッサーを含んで構成される。制御部７０は、記憶部５０に記憶される制御プログラムＰ１を実行することによって、後述する機能部を含む各種機能を実現する。なお、制御部７０は、単一のプロセッサーで構成されてもよいし、複数のプロセッサーで構成されてもよい。また、制御部７０の機能の一部または全部を、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等のハードウェアで実現してもよい。また、制御部７０は、前述の画像処理部３０と一体でもよい。
【００２５】
制御部７０は、機能部として設定制御部７１および生成部７２を有する。設定制御部７１は、端末装置１００の各種設定のための各種制御を実行する。具体的には、設定制御部７１は、後述する操作情報Ｄ１または操作履歴情報Ｄ２を受信部２１に受信させる処理、表示情報Ｄ３またはＤ４を送信部２２に送信させる処理、および操作情報Ｄ１に基づいて各部を設定する処理等を実行可能である。生成部７２は、表示情報Ｄ３またはＤ４を生成する。表示情報Ｄ３は、第１操作画像ＧＣ１の表示に用いる情報である。表示情報Ｄ４は、第２操作画像ＧＣ２の表示に用いる情報である。表示情報Ｄ３およびＤ４のそれぞれの形式は、特に限定されないが、例えば、ＨＴＭＬ（Hyper Text Markup Language）形式である。表示情報Ｄ３およびＤ４のそれぞれがＨＴＭＬ形式である場合、端末装置１００においてＷｅｂブラウザーを用いて表示情報Ｄ３またはＤ４に基づく画像、すなわち第１操作画像ＧＣ１または第２操作画像ＧＣ２を表示できる。また、例えば、生成部７２は、ＣＧＩ（Common Gateway Interface）プログラムを用いてＨＴＭＬ形式の表示情報Ｄ４を生成する。
【００２６】
端末装置１００は、通信部１０１、表示部１０２、操作部１０３、記憶部１０４および制御部１０５を有する。これらは、互いに通信可能に接続される。
【００２７】
通信部１０１は、前述の通信部２０と通信可能に接続されるインターフェイスである。例えば、通信部１０１は、通信部２０と同様に構成される。通信部１０１は、画像情報、操作情報Ｄ１、または操作履歴情報Ｄ２を含む各種情報を表示装置１０に送信する。また、通信部１０１は、表示情報Ｄ３またはＤ４を含む各種情報を端末装置１００から受信する。
【００２８】
表示部１０２は、制御部１０５による制御のもとで各種の画像を表示する。表示部１０２は、例えば、液晶表示パネル、有機ＥＬ（electro-luminescence）表示パネル等の各種の表示パネルを含む表示装置である。ここで、表示部１０２は、表示情報Ｄ３に基づく第１操作画像ＧＣ１、または表示情報Ｄ４に基づく第２操作画像ＧＣ２を表示する。
【００２９】
操作部１０３は、ユーザーからの操作を受け付ける入力機器である。例えば、操作部１０３は、タッチパッド、タッチパネルまたはマウス等のポインティングデバイスを含んで構成される。ここで、操作部１０３は、タッチパネルを含んで構成される場合、表示部１０２を兼ねてもよい。操作部１０３は、ユーザーによる操作を受付ける。具体的には、操作部１０３は、表示部１０２が表示する第１操作画像ＧＣ１または第２操作画像ＧＣ２に含まれる設定項目を選択するための操作を受付ける。
【００３０】
記憶部１０４は、制御部１０５が実行するオペレーティングシステムおよびアプリケーションプログラム等のプログラム、および制御部１０５が処理するデータを記憶する記憶装置である。記憶部１０４は、例えば、ハードディスクドライブまたは半導体メモリーを含んで構成される。なお、記憶部１０４は、端末装置１００の外部の記憶装置あるいはサーバー等に設けてもよい。
【００３１】
記憶部１０４には、表示プログラムＰ２および操作履歴情報Ｄ２が記憶される。表示プログラムＰ２は、表示装置１０からの表示情報Ｄ３またはＤ４を用いて第１操作画像ＧＣ１または第２操作画像ＧＣ２を表示部１０２に表示させる。例えば、表示情報Ｄ３およびＤ４のそれぞれがＨＴＭＬ形式である場合、表示プログラムＰ２は、Ｗｅｂブラウザーである。操作履歴情報Ｄ２は、端末装置１００に表示される第１操作画像ＧＣ１または第２操作画像ＧＣ２に対する操作に関する履歴情報である。操作履歴情報Ｄ２は、例えば、操作情報Ｄ１とこれに関連付けられる時刻情報等の経時的な情報とを含んで構成される。操作情報Ｄ１は、端末装置１００に表示される第１操作画像ＧＣ１または第２操作画像ＧＣ２に対する操作に関する情報である。
【００３２】
ここで、操作履歴情報Ｄ２は、例えば、表示プログラムＰ２がＷｅｂブラウザーである場合、Web Storageを用いて記憶部１０４に記憶される。この場合、例えば、第１操作画像ＧＣ１に対する操作が行われると、即時的に第１操作画像ＧＣ１にメニューＣ２を追加して表示できる。当該Web Storageは、session Storageでもよいが、local Storageであるのが好ましい。local Storageを用いる場合、Ｗｅｂブラウザーを終了しても、次回のＷｅｂブラウザーの起動時に、操作履歴情報Ｄ２に対応する設定項目を表示できる。
【００３３】
制御部１０５は、端末装置１００の各部を制御する機能、および各種データを処理する機能を有する処理装置である。制御部１０５は、例えば、ＣＰＵ（Central Processing Unit）等のプロセッサーを含んで構成される。制御部１０５は、記憶部１０４に記憶されるプログラムを実行することによって、各種機能を実現する。なお、制御部１０５は、単一のプロセッサーで構成されてもよいし、複数のプロセッサーで構成されてもよい。また、制御部１０５の機能の一部または全部を、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等のハードウェアで実現してもよい。
【００３４】
制御部１０５は、前述の表示プログラムＰ２の実行のもとで、表示装置１０からの表示情報Ｄ３またはＤ４を用いて第１操作画像ＧＣ１または第２操作画像ＧＣ２を表示部１０２に表示させる。また、制御部１０５は、前述の操作部１０３に対する操作に基づいて、操作情報Ｄ１を生成する。そして、制御部１０５は、操作情報Ｄ１を通信部１０１に送信させる。このとき、制御部１０５は、操作情報Ｄ１を時刻情報等の経時的な情報とともに操作履歴情報Ｄ２として記憶部１０４に記憶させる。
【００３５】
図３および図４は、それぞれ、第１実施形態において端末装置１００に表示される第１操作画像ＧＣ１を例示する図である。図３および図４に示す第１操作画像ＧＣ１は、操作履歴情報Ｄ２が存在しない場合の表示例である。この第１操作画像ＧＣ１は、複数のメニューＣａ、ＣｂおよびＣｃ等を含む表示領域Ｃ１を有する。メニューＣａは、表示装置１０の表示映像の画質調整に関する設定のためのメニューである。メニューＣｂは、表示装置１０の表示映像の詳細な設定のためのメニューである。メニューＣｃは、表示装置１０の他の各種設定のためのメニューである。これらのメニューは、前述の操作部１０３での操作により択一的に表示される。
【００３６】
図３では、メニューＣａが選択される状態が例示される。この状態では、サブメニューの一例として複数の設定項目Ｃａ１およびＣａ２が表示される。図４では、メニューＣｃが選択される状態が例示される。この状態では、サブメニューとして複数の設定項目Ｃｃ１およびＣｃ２が表示される。
【００３７】
図５は、第１実施形態において端末装置１００に表示される第２操作画像ＧＣ２を例示する図である。図５示す第２操作画像ＧＣ２は、前述の第１操作画像ＧＣ１に対する操作後の表示例であり、第１操作画像ＧＣ１の使用後に表示される。例えば、メニューＣ２は、Web Storageの操作履歴情報Ｄ２を用いて表示される。この第２操作画像ＧＣ２は、前述の表示領域Ｃ１のほかに、メニューＣ２を有する。メニューＣ２は、第１操作画像ＧＣ１に対する操作の履歴に基づく設定項目の設定のためのメニューである。第２操作画像ＧＣ２では、メニューＣａ、Ｃｂ、ＣｃおよびＣ２が前述の操作部１０３での操作により択一的に表示される。
【００３８】
図５では、メニューＣ２が選択される状態が例示される。この状態では、サブメニューの一例として複数の設定項目Ｃａ１およびＣｃ１が表示される。例えば、メニューＣ２のサブメニューは、表示装置１０のＣＧＩプログラムを用いて生成される表示情報Ｄ４を用いて表示される。ここで、メニューＣ２のサブメニューとして、第１操作画像ＧＣ１に対する操作の履歴と同じ設定項目のほかに、当該履歴に関連または類似する設定項目を表示してもよい。また、メニューＣ２のサブメニューとして表示される複数の設定項目の順序は、例えば、操作履歴情報Ｄ２に基づく時系列順または使用頻度順である。
【００３９】
１−３．表示システムの動作
図６は、第１実施形態に係る表示システム１の動作を示す図である。表示システム１では、図６に示すように、まず、ステップＳ１０１において、端末装置１００が表示装置１０に対して表示情報Ｄ３を要求する。例えば、表示情報Ｄ３がＨＴＭＬ形式である場合、この要求は、例えば、端末装置１００で起動されるＷｅｂブラウザーに所定のアドレスを入力することにより行われる。
【００４０】
表示装置１０は、ステップＳ１０２において、端末装置１００に表示情報Ｄ３を送信する。端末装置１００は、表示情報Ｄ３を受信すると、ステップＳ１０３において、第１操作画像ＧＣ１を表示する。そして、端末装置１００は、ステップＳ１０４において、第１操作画像ＧＣ１に対する操作を受け付けると、ステップＳ１０５において操作情報Ｄ１を表示装置１０に送信するとともに、ステップＳ１０６において操作情報Ｄ１を操作履歴情報Ｄ２として記憶部１０４に記憶する。表示装置１０は、操作情報Ｄ１を受信することにより、ステップＳ１０７において設定を変更する。
【００４１】
ここで、操作履歴情報Ｄ２がWeb Storageを用いて記憶部１０４に記憶される場合、端末装置１００は、操作履歴情報Ｄ２を用いて第１操作画像ＧＣ１に対してメニューＣ２を追加して表示する。
【００４２】
その後、ステップＳ１０８において、端末装置１００が表示装置１０に対して表示情報Ｄ４を要求すると、表示装置１０は、ステップＳ１０９において表示情報Ｄ４を生成する。例えば、表示情報Ｄ４がＨＴＭＬ形式である場合、この要求は、例えば、前述のステップＳ１０１と同様、端末装置１００で起動されるＷｅｂブラウザーに所定のアドレスを入力することにより行われる。また、この要求は、操作履歴情報Ｄ２がWeb Storageを用いて記憶部１０４に記憶される場合、第１操作画像ＧＣ１に追加して表示されるメニューＣ２への操作によっても行われる。また、端末装置１００が表示装置１０に対して表示情報Ｄ４を要求するとき、端末装置１００は、操作履歴情報Ｄ２を表示装置１０に送信する。そして、表示装置１０は、操作履歴情報Ｄ２を用いて表示情報Ｄ４を生成する。例えば、表示装置１０は、操作履歴情報Ｄ２に基づいてＣＧＩ内でＨＴＭＬのパースを行い、メニューＣ２のサブメニューに関する設定項目を含むページを作成して表示情報Ｄ３に付加することで表示情報Ｄ４を生成する。
【００４３】
端末装置１００は、表示情報Ｄ４を受信すると、ステップＳ１１１において、第２操作画像ＧＣ２を表示する。そして、端末装置１００は、ステップＳ１１２において、第２操作画像ＧＣ２に対する操作を受け付けると、ステップＳ１１３において操作情報Ｄ１を表示装置１０に送信するとともに、ステップＳ１１４において操作情報Ｄ１を操作履歴情報Ｄ２として記憶部１０４に記憶する。表示装置１０は、操作情報Ｄ１を受信することにより、ステップＳ１１５において設定を変更する。
【００４４】
以降、前述のステップＳ１０８からＳ１１５が繰り返される。ここで、連続する２つの第２操作画像ＧＣ２のうち、先の第２操作画像ＧＣ２が「第１操作画像」に相当し、後の第２操作画像ＧＣ２が「第２操作画像」に相当するともいえる。
【００４５】
以上の表示システム１は、前述のように、表示面であるスクリーンＳＣに画像Ｇを表示する表示装置１０と、表示装置１０に通信可能に接続される端末装置１００と、を有する。ここで、端末装置１００は、表示装置１０の設定のための第１操作画像ＧＣ１または第２操作画像ＧＣ２を表示する。端末装置１００は、第１操作画像ＧＣ１に対する操作に関する履歴情報である操作履歴情報Ｄ２を記憶する記憶部１０４を有する。表示装置１０は、端末装置１００から操作履歴情報Ｄ２を受信する受信部２１と、操作履歴情報Ｄ２を用いて、第２操作画像ＧＣ２の表示に用いる表示情報Ｄ４を生成する生成部７２と、表示情報Ｄ４を端末装置１００に送信する送信部２２と、を有する。
【００４６】
ここで、表示システム１または表示装置１０の制御方法は、端末装置１００から表示装置１０に操作履歴情報Ｄ２を受信することと、表示装置１０が操作履歴情報Ｄ２を用いて表示情報Ｄ４を生成することと、表示情報Ｄ４を表示装置１０から端末装置１００に送信することと、を含む。
【００４７】
以上の表示システム１、表示装置１０またはこれらのいずれかの制御方法では、表示装置１０の設定のための第１操作画像ＧＣ１を表示する端末装置１００から、第１操作画像ＧＣ１に対する操作に関する操作履歴情報Ｄ２を受信する。このため、第１操作画像ＧＣ１を表示しない別途の装置から履歴情報を受信する場合に比べて、用いる装置の数が少なくて済む。
【００４８】
また、表示システム１では、端末装置１００の記憶部１０４に操作履歴情報Ｄ２が記憶される。このため、端末装置１００を表示装置１０とは別の表示装置に接続する場合においても同様に、端末装置１００に第２操作画像ＧＣ２を表示することが可能である。すなわち、複数の表示装置に対して１つの端末装置１００を共用する場合においても、第２操作画像ＧＣ２による共通の操作を行うことができる。
【００４９】
ここで、操作履歴情報Ｄ２を用いて、表示装置１０の設定のための第２操作画像ＧＣ２の表示に用いる表示情報Ｄ４を生成し、表示情報Ｄ４を端末装置１００に送信する。このため、操作履歴情報Ｄ２に基づく第２操作画像ＧＣ２を表示装置１０に表示させることができる。この結果、第１操作画像ＧＣ１をそのまま用いる場合に比べて、表示装置１０の設定のための操作負担を軽減することができる。
【００５０】
具体的には、第１操作画像ＧＣ１は、互いに異なる複数の設定項目Ｃａ１、Ｃａ２、Ｃｃ１およびＣｃ２等を含む。第２操作画像ＧＣ２は、操作履歴情報Ｄ２に基づいて複数の設定項目Ｃａ１、Ｃａ２、Ｃｃ１およびＣｃ２等から選択される１以上の設定項目を含む。このため、第１操作画像ＧＣ１に対する操作に関する操作履歴情報Ｄ２に基づく好適な第２操作画像ＧＣ２を表示装置１０に表示させることができる。
【００５１】
また、第２操作画像ＧＣ２に含まれる１以上の設定項目は、操作履歴情報Ｄ２が示す設定項目と同じかまたは関連する設定項目を含む。このため、第１操作画像ＧＣ１に対する操作に関する操作履歴情報Ｄ２に基づく好適な第２操作画像ＧＣ２を表示装置１０に表示させることができる。
【００５２】
２．第２実施形態
次に、第２実施形態について説明する。本実施形態は、マルチプロジェクション機能の使用の有無に応じて表示情報Ｄ４の内容を異ならせる以外は、前述した第１実施形態と同様である。なお、以下の説明では、第２実施形態に関し、前述した第１実施形態との相違点を中心に説明し、同様の事項についてはその説明を省略する。また、第２実施形態に説明に用いる各図では、前述した第１実施形態と同様の構成については、同一符号を付している。
【００５３】
図７は、第２実施形態に係る表示システム１Ａの外観を概略的に示す図である。表示システム１Ａは、マルチプロジェクション機能を有するシステムである。図７に示すように、表示システム１Ａは、表示装置１０ａおよび１０ｂと端末装置１００とを有する。表示装置１０ａは、スクリーンＳＣに画像Ｇａを表示する。表示装置１０ｂは、表示装置１０ａに通信可能に接続され、スクリーンＳＣに画像Ｇｂを表示する。表示システム１Ａでは、表示装置１０ａが単独で表示を行う場合と表示装置１０ｂと同時に表示を行う場合とがある。
【００５４】
表示装置１０ａが単独で表示を行う場合、スクリーンＳＣには、第１実施形態の画像Ｇと同様の画像Ｇａが表示される。一方、表示装置１０ａおよび１０ｂが同時に表示を行う場合、すなわち、マルチプロジェクション機能を用いる場合、スクリーンＳＣには、画像ＧａおよびＧｂの組み合わせによる画像ＧＡが表示される。画像ＧＡでは、画像Ｇａと画像Ｇｂとの一部同士が重なる部分を有する。当該部分には、画像Ｇａと画像Ｇｂとのつなぎ目を目立たなくする処理であるエッジブレンディング補正が施される。図７に示す例では、表示装置１０ａがマスターとして機能し、表示装置１０ｂがスレーブとして機能する。なお、表示システム１Ａが有する表示装置の数は、２つに限定されず、３つ以上であってもよい。この場合、複数の表示装置は、例えば、デイジーチェーン接続される。
【００５５】
図８は、第２実施形態に係る表示システム１Ａの構成を示す図である。図８に示すように、表示装置１０ａは、第１実施形態の記憶部５０および制御部７０に代えて、記憶部５０Ａおよび制御部７０Ａを有する以外は、第１実施形態の表示装置１０と同様である。記憶部５０Ａは、第１実施形態の制御プログラムＰ１に代えて、制御プログラムＰ１Ａが記憶される以外は、第１実施形態の記憶部５０と同様である。制御部７０Ａは、第１実施形態の制御プログラムＰ１に代えて、制御プログラムＰ１Ａを実行する以外は、第１実施形態の制御部７０と同様である。なお、表示装置１０ｂは、マルチプロジェクション機能を用いる場合にスレーブとして機能し、表示情報Ｄ３およびＤ４の生成を行わない以外は、表示装置１０ａと同様に構成される。
【００５６】
制御部７０Ａは、制御プログラムＰ１Ａを実行することにより、設定制御部７１および生成部７２Ａとして機能する。生成部７２Ａは、表示情報Ｄ３またはＤ４を生成する。ただし、生成部７２Ａは、表示装置１０ａが単独で表示を行う場合と表示装置１０ｂと同時に表示を行う場合とで、表示情報Ｄ４の内容を異ならせる。例えば、表示装置１０ａが表示装置１０ｂと同時に表示を行う場合、表示情報Ｄ４の内容には、エッジブレンディング補正に関する設定項目であるエッジブレンディング補正設定が表示される。これに対し、表示装置１０ａが単独で表示を行う場合、表示情報Ｄ４の内容には、当該エッジブレンディング補正設定が表示されない。
【００５７】
本実施形態では、端末装置１００は、表示装置１０ａが単独で表示を行う場合、第１操作画像ＧＣ１に対する操作に関する操作情報Ｄ１を表示装置１０ａに送信するとともに記憶部１０４に記憶する。また、端末装置１００は、表示装置１０ａおよび１０ｂが同時に表示を行う場合、第１操作画像ＧＣ１に対する操作に関する操作情報Ｄ１Ａを表示装置１０ａに送信するとともに記憶部１０４に記憶する。したがって、記憶部１０４には、操作情報Ｄ１およびＤ１Ａの一方または両方を含む操作履歴情報Ｄ２Ａが記憶される。
【００５８】
図９は、第２実施形態における表示情報Ｄ４の生成を示すフローチャートである。生成部７２Ａは、図９に示すように、まず、ステップＳ２０１において、表示装置１０ａに対する他の表示装置１０ｂの接続の有無を判断する。表示装置１０ｂが接続されない場合、生成部７２Ａは、ステップＳ２０２において、操作履歴情報Ｄ２Ａに含まれる操作情報Ｄ１を用いて表示情報Ｄ４を生成する。この結果、表示装置１０ａが単独で表示を行う場合の第１操作画像ＧＣ１に対する操作履歴に基づく第２操作画像ＧＣ２を表示できる。すなわち、この場合、前述の第１実施形態と同様、エッジブレンディング補正設定を含まない第２操作画像ＧＣ２を表示できる。一方、表示装置１０ｂが接続される場合、生成部７２Ａは、ステップＳ２０３において、操作履歴情報Ｄ２Ａに含まれる操作情報Ｄ１Ａを用いて表示情報Ｄ４を生成する。この結果、表示装置１０ａおよび１０ｂが同時に表示を行う場合の第１操作画像ＧＣ１に対する操作履歴に基づく第２操作画像ＧＣ２を表示できる。すなわち、この場合、エッジブレンディング補正設定を含む第２操作画像ＧＣ２を表示できる。
【００５９】
以上のように、生成部７２Ａは、端末装置１００と表示装置１０ａとが接続されるネットワークに他の表示装置１０ｂが接続される場合と接続されない場合とで、表示情報Ｄ４の内容を異ならせる。このため、本実施形態では、第１実施形態と同様の効果のほか、マルチプロジェクション機能を用いる場合とそうでない場合とのそれぞれに適する設定項目を含む第２操作画像ＧＣ２を端末装置１００に表示させることができる。
【００６０】
３．変形例
以上が、本発明の表示装置の制御方法、表示装置、表示システムの制御方法および表示システムについて図示の実施形態に基づく説明であるが、本発明は、これらに限定されない。また、本発明の各部の構成は、前述の実施形態の同様の機能を発揮する任意の構成に置換することができ、また、任意の構成を付加することもできる。また、本発明は、前述の各実施形態の任意の構成同士を組み合わせるようにしてもよい。
【００６１】
また、前述の実施形態では、第２操作画像ＧＣ２が第１操作画像ＧＣ１の内容すべてを包含する場合が例示されるが、第２操作画像ＧＣ２には、第１操作画像ＧＣ１の設定項目が含まれなくてもよい。この場合、第２操作画像ＧＣ２には、第１操作画像ＧＣ１の設定項目を表示するためのメニューを別途設ければよい。
【００６２】
また、前述の実施形態における第１操作画像ＧＣ１および第２操作画像ＧＣ２に含まれる設定項目は、一例であり、前述の実施形態に限定されない。また、第１操作画像ＧＣ１および第２操作画像ＧＣ２の大きさ、位置または形状等が互いに異なってもよい。
【符号の説明】
【００６３】
１…表示システム、１Ａ…表示システム、１０…表示装置、１０ａ…表示装置、１０ｂ…表示装置、２１…受信部、２２…送信部、７２…生成部、７２Ａ…生成部、１００…端末装置、１０４…記憶部、Ｄ１…操作情報、Ｄ１Ａ…操作情報、Ｄ２…操作履歴情報、Ｄ２Ａ…操作履歴情報、Ｄ３…表示情報、Ｄ４…表示情報、Ｇ…画像、ＧＡ…画像、ＧＣ１…第１操作画像、ＧＣ２…第２操作画像、Ｇａ…画像、Ｇｂ…画像、ＳＣ…スクリーン。
【図１】
2020091627.tif 000003
【図２】
2020091627.tif 000004
【図３】
2020091627.tif 000005
【図４】
2020091627.tif 000006
【図５】
2020091627.tif 000007
【図６】
2020091627.tif 000008
【図７】
2020091627.tif 000009
【図８】
2020091627.tif 000010
【図９】
2020091627.tif 000011